(57)【要約】      （修正有）【課題】簡単な構造で、裏ごめ土の沈下に追従し、比較的安価な構造の擁壁構築用アンカー装置を提供する。【解決手段】一端を擁壁１に止着した接続杆２の他の一端と、一端側を地山３に固定したアンカー杆４の他の一端を裏ごめ土６内において接続手段５を介して互いに回動自在に接続する。そして、接続手段５を、前記接続杆２の他の一端と前記アンカー杆４の他の一端のそれぞれに取付けた接続片８と、該接続片８に設けた接続孔９に挿通した接続リング１０とで構成する。【選択図】図１
2006283486.tif 000002
【特許請求の範囲】
【請求項１】
一端を擁壁に止着した接続杆の他の一端と、一端側を地山に固定したアンカー杆の他の一端を裏ごめ土内において接続手段を介して互いに回動自在に接続した擁壁構築用のアンカー装置において、前記接続手段を、前記接続杆の他の一端と前記アンカー杆の他の一端のそれぞれに取付けた接続片と、該接続片に設けた接続孔に挿通した接続リングとで構成した、擁壁構築用アンカー装置。
【発明の詳細な説明】
【技術分野】
【０００１】
本発明は、切盛土工においてその補強のために擁壁を構築する際、地山内に固定するアンカーによって擁壁の安定化を図る、擁壁構築用アンカー装置に関するものである。
【背景技術】
【０００２】
一端を擁壁に止着した接続杆の他の一端と、一端側を地山に固定するアンカー杆の他の一端とを裏ごめ土内において接続手段を介して互いに回動自在に接続し、前記接続手段を、前記接続杆と前記アンカー杆のそれぞれの他の一端それぞれに設けた側面が球面状拡張部と、該拡張部が嵌合する球状内周面を備えた筒体とで構成した構造のものがある（例えば、特許文献１）。
【０００３】
【特許文献１】特許第３１２１３２７号公報
【発明の開示】
【発明が解決しようとする課題】
【０００４】
前記従来例は、筒体に対して接続杆側およびアンカー杆側のそれぞれが所謂自在継手状に接続した構成を採り、該構成により、擁壁の裏ごめ土の沈下に両杆がある程度まで互いに自由に回動して追従させるようにしたものであるが、構成上構造が複雑となり、高価でもある。
【０００５】
本発明は、斯様な従来例の欠点に着目し、簡単な構造で裏ごめ土の沈下に追従し、比較的安価な構造の擁壁構築用アンカー装置を提供すべく創案したものである。
【課題を解決するための手段】
【０００６】
一端を擁壁に止着した接続杆の他の一端と、一端側を地山に固定したアンカー杆の他の一端を裏ごめ土内において接続手段を介して互いに回動自在に接続した擁壁構築用のアンカー装置において、前記接続手段を、前記接続杆の他の一端と前記アンカー杆の他の一端のそれぞれに取付けた接続片と、該接続片に設けた接続孔に挿通した接続リングとで構成したものである。
【発明の効果】
【０００７】
本発明によれば、接続リングに対してアンカー杆側と接続杆側とが自由に回動するから裏ごめ土沈下に追従することができ、同時に可動範囲が広く構造も簡単で比較的安価な製品を提供できるものである。
【０００８】
また、単一な接続リングに対し、アンカー杆側と接続杆側の一方又は双方を、構造上、複数個用いることができ、従って、複数個用いる場合の施工作業の向上を図ることができる。
【実施例】
【０００９】
図面は本発明に係る擁壁構築用アンカー装置の実施例を示し、図１は第一実施例の説明図、図２は図１の一部欠截拡大図、図３は接続リングの他の実施形を示す正面図、図４は第二実施例の説明図、図５は接続片の正面図である。
【００１０】
本発明に係るアンカー装置Ａは、コンクリートパネル等で成る擁壁１に一端側を止着した接続杆２の他の一端と、盛土で成る地山３に埋設固定したアンカー片４ａを一端側に備えたアンカー杆４の他の一端を接続手段５を介して裏ごめ土３´内において互いに接続して構成して擁壁１の安定化を図るものである。
【００１１】
前記接続杆２は、ボルト杆で構成し、その一端側を前記擁壁１に貫通させて該擁壁１に組合わせ、接続杆２に螺合したナット６を座金７を介して擁壁１の内外から締め付けるようにして擁壁１に止着したものである。
【００１２】
接続杆２と擁壁１との止着（接続）手段は、例えば、擁壁１をコンクリートで造成するなどの場合に該コンクリート（擁壁）内に一端にブロック体を設ける等して該ブロック体を埋設する等自由に選択すれば良い。
【００１３】
この接続杆２の他の一端には前記接続手段５を構成する接続片８を筒状本体８ａにおいて螺合して取付け、接続片８は内腔部にねじ穴を設けた前記筒状本体８ａの先端にリング状部片８ｂを一体に設けて接続孔９を備えて成り、この接続片８のリング状部片８ｂに接続孔９に挿通させるようにして前記接続手段５を構成する接続リング１０を組付けてある。
【００１４】
接続リング１０は、長円状の半リング体で成るリング主体１０ａの両端にねじを刻設し、該両端のねじ部にナット筒１０ｂを螺合してリング体として構成したもので、この接続リング１０に接続杆２側の前記接続片８と前記アンカー杆４の他の一端に取付けた接続片８を組付けて前記接続手段５が構成される。
【００１５】
アンカー杆４の他の一端側に取付けた接続片８は接続杆２側の接続片８と同様に筒状本体８ａとリング状部片８ｂで構成され、接続杆２と同様に螺杆で構成したアンカー杆４の他の一端側のねじを筒状本体８ａのねじ穴に螺合して取付け、アンカー杆４は接続リング１０を介して接続杆２と接続され、この接続部すなわち接続手段５部は前記裏ごめ土３´内に設置される。
【００１６】
アンカー杆４は一端側に前記アンカー片４ａを設けてあり、アンカー片４ａはアンカー杆４の一端側に螺合した締付けナット１１，１１間に介在されたリング体で成り、アンカー杆４に沿う締付けナット１１，１１の移動によりアンカー杆４の軸線（長手）方向に沿う適所に自在に配置され、地山３を構成する盛土内に埋設、固定したものである。
【００１７】
なお、接続リング１０は、図３で示すようにＵ字形の一対のリング主体１０ａ，１０ａ´のそれぞれの両端に刻設したねじにナット筒１０ｂ´を螺合するようにして構成するものであっても良いし、リング主体１０ａ，１０ａ´の端部を互いに熔接してナット筒１０ｂ，１０ｂ´を省略した形態のものであっても良い（ナット筒１０ｂ，１０ｂ´を用いる場合は現場での組立ては可能であるが、この場合は、現場での熔接作業が煩雑なので、接続リングに、例えば前記接続片８を予め組付けておくことになる）。
【００１８】
図４で示すものは、接続リング１０を円形リング体で構成し、該リング１０に筒状本体８ａとリング状部片８ｂで構成する前記接続片８をリング状部片８ｂにおいて移動（回動）自在に組付け、該接続片８に前記の通りに接続杆２又はアンカー杆４を取付けて、接続杆１は前記と同様に擁壁１に止着する一方、アンカー杆４は切土で成る地山３にドリルマシン等を用いて穿孔してセメンペーストｃを充填した穴ｈに嵌挿して前記アンカー片４ａに代えて地山３に固定し、単一なリング１０に一対の接続杆２，２を取付けて、擁壁１の２個所を地山３側に引留めるようにして構成したものである。
【００１９】
なお、この図４で示すリング１０は、互いに同形な一対の半円リング杆１０ａ，１０ａに前記接続片８，８，８を組合わせて、該半円リング杆１０ａの両端同士を互いに熔接して構成したものであるが、図１で示す実施例のように、リング杆１０ａに雄ねじを設け、これにナット材を螺合するようにしてリング杆１０ａ，１０ａを互いに接続するように構成しても良い。
【００２０】
因みに、本発明装置を得るには、接続杆２やアンカー杆４は螺杆で構成することは必ずしも必要とせず、該接続杆２等に接続片８を筒状本体８ａにおいて熔接しても良い（この場合、本体８ａはねじ穴を備える必要がないことになる）。
【００２１】
接続片８は、接続リング１０が緩く挿通する接続孔があれば良いのであって、この意味では、実施例で示す構造（形態）のものに限定する必要はない。
【図面の簡単な説明】
【００２２】
【図１】第一実施例の説明図。
【図２】図１の一部欠截拡大図。
【図３】接続リングの他の実施形を示す正面図。
【図４】第二実施例の説明図。
【図５】図５は接続片の正面図。
【符号の説明】
【００２３】
１      擁壁
２      接続杆
３      地山
４      アンカー杆
５      接続手段
６      裏ごめ土
８      接続片
９      接続孔
【図１】
2006283486.tif 000003
【図２】
2006283486.tif 000004
【図３】
2006283486.tif 000005
【図４】
2006283486.tif 000006
【図５】
2006283486.tif 000007